(57)【特許請求の範囲】
【請求項１】
ビデオ信号、水平同期信号及び垂直同期信号を含む複数種類のアナログ映像信号の水平同期信号及び垂直同期信号の各周波数とドットクロックの周波数とを対応させて記憶しておき、入力されたアナログ映像信号中の水平同期信号及び垂直同期信号の各周波数を検出し、検出した各周波数に基づきドットクロックの周波数を決定し、決定したドットクロックの周波数と検出した水平同期信号及び垂直同期信号の各周波数とによりディジタル信号に変換した前記アナログ映像信号を表示する表示制御方法において、
検出した前記各周波数に基づき、複数のドットクロックの周波数を推定し、推定した各周波数のクロックの立ち上がり及び立ち下がりにより、前記アナログ映像信号中のビデオ信号をそれぞれ所定期間サンプリングし、サンプリングした各１クロック内の立ち上がり及び立ち下りのレベルの差を算出して、前記各周波数毎に合計し、合計した差を比較し、合計した差が最小である周波数をドットクロックの周波数とすることを特徴とする表示制御方法。
【請求項２】
ビデオ信号、水平同期信号及び垂直同期信号を含む複数種類のアナログ映像信号の水平同期信号及び垂直同期信号の各周波数とドットクロックの周波数とを対応させて記憶しておき、入力されたアナログ映像信号中の水平同期信号及び垂直同期信号の各周波数を検出し、検出した各周波数に基づきドットクロックの周波数を決定し、決定したドットクロックの周波数と検出した水平同期信号及び垂直同期信号の各周波数とによりディジタル信号に変換した前記アナログ映像信号を表示する表示制御方法において、
検出した前記各周波数に基づき、複数のドットクロックの周波数を推定し、推定した各周波数のクロックの立ち上がり及び立ち下がりにより、前記アナログ映像信号中のビデオ信号をそれぞれ所定期間サンプリングし、サンプリングした各１クロック内の立ち上がり及び立ち下りのレベルの差を算出し、算出した差と所定値とを比較し、該差が所定値以上となる回数を前記各周波数毎に計数し、計数した回数を比較し、計数した回数が最小である周波数をドットクロックの周波数とすることを特徴とする表示制御方法。
【請求項３】
ビデオ信号、水平同期信号及び垂直同期信号を含む複数種類のアナログ映像信号の水平同期信号及び垂直同期信号の各周波数とドットクロックの周波数とを対応させて記憶するテーブルを備え、入力されたアナログ映像信号中の水平同期信号及び垂直同期信号の各周波数を検出し、検出した各周波数により前記テーブルを参照して、ドットクロックの周波数を決定し、決定したドットクロックの周波数と水平同期信号及び垂直同期信号の検出した各周波数とによりディジタル信号に変換した前記アナログ映像信号を出力する表示制御装置において、
検出した前記各周波数により前記テーブルを参照して、複数のドットクロックの周波数を推定する手段と、該手段が推定した各周波数のクロックの立ち上がり及び立ち下がりにより、前記アナログ映像信号中のビデオ信号をそれぞれ所定期間サンプリングする手段と、該手段がサンプリングした各１クロック内の立ち上がり及び立ち下りのレベルの差を算出する手段と、該手段が算出した差を前記各周波数毎に合計する手段と、該手段が合計した差を比較する手段とを備え、合計した差が最小である周波数をドットクロックの周波数とすべくなしてあることを特徴とする表示制御装置。
【請求項４】
ビデオ信号、水平同期信号及び垂直同期信号を含む複数種類のアナログ映像信号の水平同期信号及び垂直同期信号の各周波数とドットクロックの周波数とを対応させて記憶するテーブルを備え、入力されたアナログ映像信号中の水平同期信号及び垂直同期信号の各周波数を検出し、検出した各周波数により前記テーブルを参照して、ドットクロックの周波数を決定し、決定したドットクロックの周波数と水平同期信号及び垂直同期信号の検出した各周波数とによりディジタル信号に変換した前記アナログ映像信号を出力する表示制御装置において、
検出した前記各周波数により前記テーブルを参照して、複数のドットクロックの周波数を推定する手段と、該手段が推定した各周波数のクロックの立ち上がり及び立ち下がりにより、前記アナログ映像信号中のビデオ信号をそれぞれ所定期間サンプリングする手段と、該手段がサンプリングした各１クロック内の立ち上がり及び立ち下りのレベルの差を算出する手段と、該手段が算出した差及び所定値を比較する手段と、該手段の比較結果で差が所定値以上となる回数を前記各周波数毎に計数する手段と、該手段が計数した回数を比較する手段とを備え、計数した回数が最小である周波数をドットクロックの周波数とすべくなしてあることを特徴とする表示制御装置。
【請求項５】
請求項３又は４に記載された表示制御装置と、該表示制御装置が出力した映像信号を表示する表示手段とを備えることを特徴とする表示装置。
【発明の詳細な説明】
【０００１】
【発明の属する技術分野】
本発明は、複数種類のアナログ映像信号の水平同期信号及び垂直同期信号の各周波数とドットクロックの周波数とを対応させて記憶しておき、入力されたアナログ映像信号中の水平同期信号及び垂直同期信号の各周波数を検出し、検出した各周波数に基づきドットクロックの周波数を決定し、決定したドットクロックの周波数と検出した水平同期信号及び垂直同期信号の各周波数とによりディジタル信号に変換したアナログ映像信号を表示する表示制御方法、そのディジタル信号に変換したアナログ映像信号を出力する表示制御装置、及びこの表示制御装置を備えた表示装置に関するものである。
【０００２】
【従来の技術】
液晶ディスプレイ及びプラズマディスプレイ等のフラットパネルディスプレイでは、コンピュータ等から入力された映像信号を表示する場合、その映像信号の解像度情報（水平周波数、垂直周波数、ドットクロック、有効解像度）を必要とし、この解像度情報に基づきフレームメモリへの書き込み、及びアナログ信号をディジタル信号に変換する為のＡＤコンバータ等の信号処理を行っている。
映像信号にはディジタル映像信号とアナログ映像信号とが存在し、ディジタル映像信号の場合は、ビデオ信号、水平同期信号、垂直同期信号、ＤＥ信号（Data Enable信号；映像有効信号）及びクロック信号が伝送される為、容易に解像度情報を取得することが出来る。
【０００３】
一方、アナログ映像信号の場合は、ビデオ信号、水平同期信号及び垂直同期信号のみしか伝送されない為、取得出来る解像度情報は、水平周波数（水平期間を基準クロックでカウントして得る）、垂直周波数（垂直期間を基準クロックでカウントして得る）及び垂直解像度（垂直期間でビデオ信号が有る期間を水平同期信号でカウントして得る）のみとなる。
従来は、想定される映像信号の解像度情報の組合せテーブルをディスプレイ内部の記憶手段に予め記憶させておき、アナログ映像信号から取得した水平周波数及び垂直周波数に基づき、それらに対応する他の解像度情報をその記憶手段から取得していた。
【０００４】
【特許文献１】
特開平１０−２６９５３号公報
【特許文献２】
特開平１０−２６８８５６号公報
【特許文献３】
特開２００１−２０９３６６号公報
【特許文献４】
特開２００１−１６６７６６号公報
【０００５】
【発明が解決しようとする課題】
従来のランドスケープ表示（横長表示）のみに対応する表示装置であれば、アナログ映像信号が入力された場合でも、上述した解像度を取得する方法で問題はなかった。しかし、本願出願人が開発中の図６に示すような表示画像の縦横変換機能を有する表示装置では、上述した解像度を取得する方法では十分でない場面が生じることになった。
【０００６】
図７は、表示画像の縦横変換機能を有する表示装置内の記憶手段に記憶される解像度情報テーブルの一例であり、信号（１）〜（３）は、ランドスケープ表示となる映像信号であり、信号（４）〜（７）は、ポートレート表示（縦長表示）の映像信号となる。この例では、信号（３）及び信号（４）、信号（５）及び信号（７）の各水平周波数と各垂直周波数とが近似値となっており、このような信号が入力された場合、上述した解像度を取得する方法では、的確な解像度情報を取得出来ないと言う問題がある。
また、入力された映像信号がランドスケープ表示のものなのか、ポートレート表示のものなのかを判別することが出来ない為、例えば、縦長画面に横長画像を表示してしまうなど、不適切な画面表示をしてしまうという問題がある。
【０００７】
上述したような技術に関連するものとして、特許文献１には、映像信号のドットクロックと異なる周波数でサンプリングした際に生じる折返し周波数成分を検出してこの折返し成分が生じないようにドットクロックを再生するドットクロック再生装置が開示されている。
特許文献２及び特許文献３には、水平周波数、垂直周波数から推定される画素数を正確であるとし、この画素数が得られるように、クロック周波数を可変させることで正確なドットクロック周波数を取得する映像表示方法及びサンプリングクロック制御回路がそれぞれ開示されている。
特許文献４には、任意のドットクロック周波数で、隣接する画素の絶対差分を求め、所定の期間におけるその最大値を検出し、その最大値が、任意のドットクロックの位相を変化させることで極値を有すれば、正規のドットクロック周波数と判定する画像表示装置のドットクロック調整方法が開示されている。
【０００８】
本発明は、上述したような事情に鑑みてなされたものであり、第１，２発明では、入力されたアナログ映像信号から、その正確なドットクロック周波数を定めることが出来ると共に、そのアナログ映像信号を横長又は縦長の何れに表示すべきなのかを判別することが出来る表示制御方法を提供することを目的とする。
第３，４発明では、入力されたアナログ映像信号から、その正確なドットクロック周波数を定めることが出来ると共に、そのアナログ映像信号を横長又は縦長の何れに表示すべきなのかを判別することが出来る表示制御装置を提供することを目的とする。
第５発明では、第３，４発明の何れかに係る表示制御装置を備えた表示装置を提供することを目的とする。
【０００９】
【課題を解決するための手段】
第１発明に係る表示制御方法は、ビデオ信号、水平同期信号及び垂直同期信号を含む複数種類のアナログ映像信号の水平同期信号及び垂直同期信号の各周波数とドットクロックの周波数とを対応させて記憶しておき、入力されたアナログ映像信号中の水平同期信号及び垂直同期信号の各周波数を検出し、検出した各周波数に基づきドットクロックの周波数を決定し、決定したドットクロックの周波数と検出した水平同期信号及び垂直同期信号の各周波数とによりディジタル信号に変換した前記アナログ映像信号を表示する表示制御方法において、検出した前記各周波数に基づき、複数のドットクロックの周波数を推定し、推定した各周波数のクロックの立ち上がり及び立ち下がりにより、前記アナログ映像信号中のビデオ信号をそれぞれ所定期間サンプリングし、サンプリングした各１クロック内の立ち上がり及び立ち下りのレベルの差を算出して、前記各周波数毎に合計し、合計した差を比較し、合計した差が最小である周波数をドットクロックの周波数とすることを特徴とする。
【００１０】
第２発明に係る表示制御方法は、ビデオ信号、水平同期信号及び垂直同期信号を含む複数種類のアナログ映像信号の水平同期信号及び垂直同期信号の各周波数とドットクロックの周波数とを対応させて記憶しておき、入力されたアナログ映像信号中の水平同期信号及び垂直同期信号の各周波数を検出し、検出した各周波数に基づきドットクロックの周波数を決定し、決定したドットクロックの周波数と検出した水平同期信号及び垂直同期信号の各周波数とによりディジタル信号に変換した前記アナログ映像信号を表示する表示制御方法において、検出した前記各周波数に基づき、複数のドットクロックの周波数を推定し、推定した各周波数のクロックの立ち上がり及び立ち下がりにより、前記アナログ映像信号中のビデオ信号をそれぞれ所定期間サンプリングし、サンプリングした各１クロック内の立ち上がり及び立ち下りのレベルの差を算出し、算出した差と所定値とを比較し、該差が所定値以上となる回数を前記各周波数毎に計数し、計数した回数を比較し、計数した回数が最小である周波数をドットクロックの周波数とすることを特徴とする。
【００１１】
第３発明に係る表示制御装置は、ビデオ信号、水平同期信号及び垂直同期信号を含む複数種類のアナログ映像信号の水平同期信号及び垂直同期信号の各周波数とドットクロックの周波数とを対応させて記憶するテーブルを備え、入力されたアナログ映像信号中の水平同期信号及び垂直同期信号の各周波数を検出し、検出した各周波数により前記テーブルを参照して、ドットクロックの周波数を決定し、決定したドットクロックの周波数と水平同期信号及び垂直同期信号の検出した各周波数とによりディジタル信号に変換した前記アナログ映像信号を出力する表示制御装置において、検出した前記各周波数により前記テーブルを参照して、複数のドットクロックの周波数を推定する手段と、該手段が推定した各周波数のクロックの立ち上がり及び立ち下がりにより、前記アナログ映像信号中のビデオ信号をそれぞれ所定期間サンプリングする手段と、該手段がサンプリングした各１クロック内の立ち上がり及び立ち下りのレベルの差を算出する手段と、該手段が算出した差を前記各周波数毎に合計する手段と、該手段が合計した差を比較する手段とを備え、合計した差が最小である周波数をドットクロックの周波数とすべくなしてあることを特徴とする。
【００１２】
第１発明に係る表示制御方法及び第３発明に係る表示制御装置では、テーブルが、ビデオ信号、水平同期信号及び垂直同期信号を含む複数種類のアナログ映像信号の水平同期信号及び垂直同期信号の各周波数とドットクロックの周波数とを対応させて記憶している。入力されたアナログ映像信号中の水平同期信号及び垂直同期信号の各周波数を検出し、検出した各周波数によりテーブルを参照して、ドットクロックの周波数を決定し、決定したドットクロックの周波数と水平同期信号及び垂直同期信号の検出した各周波数とによりディジタル信号に変換したアナログ映像信号を出力する。
【００１３】
推定する手段が、検出した各周波数によりテーブルを参照して、複数のドットクロックの周波数を推定し、サンプリングする手段が、その推定した各周波数のクロックの立ち上がり及び立ち下がりにより、アナログ映像信号中のビデオ信号をそれぞれ所定期間サンプリングする。算出する手段が、そのサンプリングした各１クロック内の立ち上がり及び立ち下りのレベルの差を算出し、合計する手段が、その算出した差を各周波数毎に合計する。比較する手段が、その合計した差を比較し、合計した差が最小である周波数をドットクロックの周波数とする。
これにより、入力されたアナログ映像信号から、その正確なドットクロック周波数を定めることが出来ると共に、そのアナログ映像信号を横長又は縦長の何れに表示すべきなのかを判別することが出来る表示制御方法及び表示制御装置を実現することが出来る。
【００１４】
第４発明に係る表示制御装置は、ビデオ信号、水平同期信号及び垂直同期信号を含む複数種類のアナログ映像信号の水平同期信号及び垂直同期信号の各周波数とドットクロックの周波数とを対応させて記憶するテーブルを備え、入力されたアナログ映像信号中の水平同期信号及び垂直同期信号の各周波数を検出し、検出した各周波数により前記テーブルを参照して、ドットクロックの周波数を決定し、決定したドットクロックの周波数と水平同期信号及び垂直同期信号の検出した各周波数とによりディジタル信号に変換した前記アナログ映像信号を出力する表示制御装置において、検出した前記各周波数により前記テーブルを参照して、複数のドットクロックの周波数を推定する手段と、該手段が推定した各周波数のクロックの立ち上がり及び立ち下がりにより、前記アナログ映像信号中のビデオ信号をそれぞれ所定期間サンプリングする手段と、該手段がサンプリングした各１クロック内の立ち上がり及び立ち下りのレベルの差を算出する手段と、該手段が算出した差及び所定値を比較する手段と、該手段の比較結果で差が所定値以上となる回数を前記各周波数毎に計数する手段と、該手段が計数した回数を比較する手段とを備え、計数した回数が最小である周波数をドットクロックの周波数とすべくなしてあることを特徴とする。
【００１５】
第２発明に係る表示制御方法及び第４発明に係る表示制御装置では、テーブルが、ビデオ信号、水平同期信号及び垂直同期信号を含む複数種類のアナログ映像信号の水平同期信号及び垂直同期信号の各周波数とドットクロックの周波数とを対応させて記憶している。入力されたアナログ映像信号中の水平同期信号及び垂直同期信号の各周波数を検出し、検出した各周波数によりテーブルを参照して、ドットクロックの周波数を決定し、決定したドットクロックの周波数と水平同期信号及び垂直同期信号の検出した各周波数とによりディジタル信号に変換したアナログ映像信号を出力する。
【００１６】
推定する手段が、検出した各周波数によりテーブルを参照して、複数のドットクロックの周波数を推定し、サンプリングする手段が、その推定した各周波数のクロックの立ち上がり及び立ち下がりにより、アナログ映像信号中のビデオ信号をそれぞれ所定期間サンプリングする。算出する手段が、そのサンプリングした各１クロック内の立ち上がり及び立ち下りのレベルの差を算出し、比較する手段が、その算出した差及び所定値を比較する。計数する手段が、その比較結果で差が所定値以上となる回数を各周波数毎に計数し、比較する手段が、その計数した回数を比較し、計数した回数が最小である周波数をドットクロックの周波数とする。
これにより、入力されたアナログ映像信号から、その正確なドットクロック周波数を定めることが出来ると共に、そのアナログ映像信号を横長又は縦長の何れに表示すべきなのかを判別することが出来る表示制御方法及び表示制御装置を実現することが出来る。
【００１７】
第５発明に係る表示装置は、請求項３又は４に記載された表示制御装置と、該表示制御装置が出力したアナログ映像信号を表示する表示手段とを備えることを特徴とする。
【００１８】
この表示装置では、請求項３又は４に記載された表示制御装置と、この表示制御装置が出力した映像信号を表示する表示手段とを備えているので、入力されたアナログ映像信号から、その正確なドットクロック周波数を定めることが出来ると共に、そのアナログ映像信号を横長又は縦長の何れに表示すべきなのかを判別することが出来る表示装置を実現することが出来る。
【００１９】
【発明の実施の形態】
以下に、本発明を、その実施の形態を示す図面を参照しながら説明する。
実施の形態１．
図１は、本発明に係る表示制御方法、表示制御装置及び表示装置の実施の形態の要部構成を示すブロック図である。この表示装置は、パーソナルコンピュータ１等からアナログ映像信号の水平同期信号が与えられ、与えられた水平同期信号の周波数を測定する水平周期測定部６と、水平周期測定部６が測定した水平周波数が与えられる信号処理部９と、パーソナルコンピュータ１等からアナログ映像信号の垂直同期信号が与えられ、与えられた垂直同期信号の周波数を測定し、測定した垂直周波数を信号処理部９に与える垂直周期測定部７とを備えている。
【００２０】
この表示装置は、また、図７に示すように、アナログ映像信号が取り得る水平周波数、垂直周波数水平周波数及び垂直周波数、ドットクロック周波数、水平解像度及び垂直解像度の複数の組を記憶したテーブル８ａを内蔵し、水平周期測定部６及び垂直周期測定部７から与えられた水平周波数及び垂直周波数により、テーブル８ａを参照して、入力されたアナログ映像信号のドットクロック周波数と推定される複数の周波数を選択し、その複数の周波数の各クロックを作成する解像度情報検出部８とを備えている。
【００２１】
この表示装置は、また、パーソナルコンピュータ１等からアナログ映像信号のＲＧＢ（Red,Green,Blue）ビデオ信号が与えられるＡＤ（Analog/Digital）コンバータ４を備えている。ＡＤコンバータ４は、解像度情報検出部８が作成し後述する信号測定部５を通じて与えられるクロックの立ち上がり及び立ち下りで、ＲＧＢビデオ信号をラッチ（サンプリング）すると共に、アナログ映像信号をディジタル映像信号に変換する。信号測定部５は、そのラッチレベル（サンプリングレベル）をＡＤコンバータ４から受けて、解像度情報検出部８に与える。
【００２２】
解像度情報検出部８は、信号測定部５から与えられた多数のラッチレベルを用いて、入力されたアナログ映像信号のドットクロックの周波数を決定して、その周波数のドットクロックを作成し、そのドットクロックの周波数に対応する水平解像度及び垂直解像度を、テーブル８ａから読み出して、作成したドットクロックと共に信号処理部９に与える。
【００２３】
信号処理部９は、信号測定部５からディジタル映像信号のＲＧＢビデオ信号が与えられ、与えられたＲＧＢビデオ信号を、解像度情報検出部８から与えられた水平解像度、垂直解像度及びドットクロックを用いて、液晶表示部３に表示させる。液晶表示部３以外の上述した各部は表示制御装置２を構成する。
【００２４】
以下に、このような構成の表示装置の動作を、それを示す図２のフローチャートを参照しながら説明する。
この表示装置の水平周期測定部６及び垂直周期測定部７は、水平同期信号及び垂直同期信号の水平期間及び垂直期間を基準クロックによりそれぞれカウントして、水平周波数及び垂直周波数を測定する（Ｓ２）。
次に、解像度情報検出部８は、水平周期測定部６から与えられた水平同期信号により、垂直期間でビデオ信号が有る期間をカウントすることで、垂直有効ライン数（垂直解像度）を取得する（Ｓ４）。
【００２５】
次に、解像度情報検出部８は、水平周波数及び垂直周波数（Ｓ２）と、垂直有効ライン数（垂直解像度）（Ｓ４）とにより、解像度情報を記憶してあるテーブル８ａを参照して（Ｓ６）、入力されたアナログ映像信号のドットクロック周波数と推定される複数の周波数を選択する（Ｓ８）。
次に、解像度情報検出部８は、推定し選択した周波数のクロック（Ｓ８）を作成し、信号測定部５を介してＡＤコンバータ４に与えて、作成したクロックの位相とＲＧＢビデオ信号の位相とを合わせる（Ｓ１０）。
【００２６】
この際、解像度情報検出部８は、クロック周波数を３２分周し、その分周幅毎に位相を移動させる。その際、図３に示すように、クロック信号の立ち上がりで、ＡＤコンバータ４が（ＲＧＢ）ビデオ信号をサンプリングする。解像度情報検出部８は、図３に示すように、信号測定部５を介して与えられたサンプリングレベルの隣り合うクロックでの差分を算出して、その第１の所定期間分を合計して、位相ごとに比較する。解像度情報検出部８は、この合計が最も大きくなる位相（図３では、クロック信号２）が、最も合っていると判定する。
【００２７】
次に、解像度情報検出部８は、位相を合わせた（Ｓ１０）クロックを、信号測定部５を通じてＡＤコンバータ４に与え、図４に示すように（ここでは、○×は無視する）、与えたクロックの立ち上がりで（ＲＧＢ）ビデオ信号をサンプリングし（Ｓ１２）、与えたクロックの立ち下がりで（ＲＧＢ）ビデオ信号をサンプリングし（Ｓ１４）、その２つのサンプリングレベルの差（絶対値）を算出して記憶する（Ｓ１６）。
解像度情報検出部８は、Ｓ１２、Ｓ１４、Ｓ１６を第２の所定期間が経過する迄（Ｓ１８）繰り返し、第２の所定期間が経過すると、算出して記憶した差（Ｓ１６）の合計を算出して記憶する（Ｓ２０）。
【００２８】
次に、解像度情報検出部８は、選択した周波数のクロック（Ｓ８）でサンプリング（Ｓ１２〜２０）していない周波数のクロックが有るか否かを判定し（Ｓ２２）、サンプリング（Ｓ１２〜２０）していない周波数のクロックが有れば、その周波数のクロックの位相を合わせて（Ｓ１０）サンプリング（Ｓ１２〜２０）を行う。
解像度情報検出部８は、サンプリング（Ｓ１２〜２０）していない周波数のクロックが無ければ（Ｓ２２）、算出した各合計（Ｓ２０）を比較し（Ｓ２４）、合計が最小であるクロックの周波数をドットクロックの周波数に決定し（Ｓ２６）リターンする。
【００２９】
尚、本発明が対象とするビデオ信号はアナログ信号であるので、その伝送経路の状態によっては、波形が鈍ったり、不要なノイズが混入する。その為、上述した動作では、１クロック内の立ち上がり及び立ち下がりのサンプリングレベルの差を算出しその合計によりドットクロックの周波数を判定したが、サンプリングレベルの差が所定値より大きいときを、サンプリングレベルが異なると判定し、その異なる合計回数によりドットクロックの周波数を判定しても良い。
【００３０】
以下に、１クロック内の立ち上がり及び立ち下がりのサンプリングレベルが異なる合計回数により、ドットクロックの周波数を判定する動作を、それを示す図５のフローチャートを参照しながら説明する。
この表示装置の水平周期測定部６及び垂直周期測定部７は、水平同期信号及び垂直同期信号の水平期間及び垂直期間を基準クロックによりそれぞれカウントして、水平周波数及び垂直周波数を測定する（Ｓ３０）。
次に、解像度情報検出部８は、水平周期測定部６及び垂直周期測定部７から与えられた水平周波数及び垂直周波数（Ｓ３０）により、水平周波数／垂直周波数を演算して、垂直有効ライン数（垂直解像度）を取得する（Ｓ３２）。
【００３１】
次に、解像度情報検出部８は、水平周波数及び垂直周波数（Ｓ３０）と、垂直有効ライン数（垂直解像度）（Ｓ３２）とにより、解像度情報を記憶してあるテーブル８ａを参照して（Ｓ３４）、入力されたアナログ映像信号のドットクロック周波数と推定される複数の周波数を選択する（Ｓ３６）。
次に、解像度情報検出部８は、推定し選択した周波数のクロック（Ｓ３６）を作成し、信号測定部５を介してＡＤコンバータ４に与えて、作成したクロックの位相とＲＧＢビデオ信号の位相とを合わせる（Ｓ３８）。位相合わせの詳細は、上述したので省略する。
【００３２】
次に、解像度情報検出部８は、位相を合わせた（Ｓ３８）クロックを信号測定部５を通じてＡＤコンバータ４に与え、図４に示すように、与えたクロックの立ち上がりで（ＲＧＢ）ビデオ信号をサンプリングし（Ｓ４０）、与えたクロックの立ち下がりで（ＲＧＢ）ビデオ信号をサンプリングし（Ｓ４２）、その２つのサンプリングレベルの差を算出する（Ｓ４４）。
次に、解像度情報検出部８は、算出したサンプリングレベルの差（Ｓ４４）と所定値とを比較し（Ｓ４５）、その結果、サンプリングレベルの差が所定値以上となるときは、２つのサンプリングレベルが異なると判定し（図４の×で示す）、その回数を計数（カウント）する（Ｓ４６）。
【００３３】
解像度情報検出部８は、Ｓ４０、Ｓ４２、Ｓ４４、Ｓ４６を第２の所定期間が経過する迄（Ｓ４８）繰り返し、第２の所定期間が経過すると、選択した周波数のクロック（Ｓ３６）でサンプリング（Ｓ４０〜４８）していない周波数のクロックが有るか否かを判定し（Ｓ５０）、サンプリング（Ｓ４０〜４８）していない周波数のクロックが有れば、その周波数のクロックの位相を合わせて（Ｓ３８）サンプリング（Ｓ４０〜４８）を行う。
【００３４】
解像度情報検出部８は、サンプリング（Ｓ４０〜４８）していない周波数のクロックが無ければ（Ｓ５０）、計数した各回数（Ｓ４６）を比較し（Ｓ５２）、回数が最小であるクロック（図４ではクロック信号２）の周波数をドットクロックの周波数に決定し（Ｓ５４）リターンする。
尚、上述したクロックの立ち下がりポイントは、立ち上がりポイントに対し１８０°の位相差を有するのが普通であるが、これを微調整することにより、サンプリング精度をより高めることも可能である。
【００３５】
【発明の効果】
第１，２発明に係る表示制御方法によれば、入力されたアナログ映像信号から、その正確なドットクロック周波数を定めることが出来ると共に、そのアナログ映像信号を横長又は縦長の何れに表示すべきなのかを判別することが出来る表示制御方法を実現することが出来る。
【００３６】
第３，４発明に係る表示制御装置によれば、入力されたアナログ映像信号から、その正確なドットクロック周波数を定めることが出来ると共に、そのアナログ映像信号を横長又は縦長の何れに表示すべきなのかを判別することが出来る表示制御装置を実現することが出来る。
【００３７】
第５発明に係る表示装置によれば、入力されたアナログ映像信号から、その正確なドットクロック周波数を定めることが出来ると共に、そのアナログ映像信号を横長又は縦長の何れに表示すべきなのかを判別することが出来る表示装置を実現することが出来る。
【図面の簡単な説明】
【図１】本発明に係る表示制御方法、表示制御装置及び表示装置の実施の形態の要部構成を示すブロック図である。
【図２】本発明に係る表示制御装置及び表示装置の動作の一例を示すフロ−チャートである。
【図３】本発明に係る表示制御装置及び表示装置の動作を示す説明図である。
【図４】本発明に係る表示制御装置及び表示装置の動作を示す説明図である。
【図５】本発明に係る表示制御装置及び表示装置の動作の他の例を示すフロ−チャートである。
【図６】表示画像の縦横変換機能を有する表示装置を示す説明図である。
【図７】表示画像の縦横変換機能を有する表示装置内の記憶手段に記憶される解像度情報テーブルの一例を示す説明図である。
【符号の説明】
１  パーソナルコンピュータ
２  表示制御装置
３  液晶表示部
４  ＡＤコンバータ
５  信号測定部
６  水平周期測定部
７  垂直周期測定部
８  解像度情報検出部
８ａ  テーブル
９  信号処理部
【図１】
0003683889.tif 000002
【図２】
0003683889.tif 000003
【図３】
0003683889.tif 000004
【図４】
0003683889.tif 000005
【図５】
0003683889.tif 000006
【図６】
0003683889.tif 000007
【図７】
0003683889.tif 000008